(57)【要約】【課題】常時安定的に低放射線およびマイナスイオンを発生する。【解決手段】天然ラジウム鉱石をリング状に焼成したラドンセラミックリング７が内蔵された畳床部材２と発熱部材３と畳表部材４とを順に積層し、この積層体が畳縁１３で縫いつけられ、畳床部材２が硬質発泡板３に穿孔された孔６ａに該硬質発泡板と略同一厚さのラドンセラミックリング７を内蔵し、畳設置面となる下面にクッション材が貼付けられており、発熱部材がフィルム発熱層であり、畳表部材が発熱部材側に不織布が貼付けられた天然または合成い草である。【選択図】図１
2007107317.tif 000002
【特許請求の範囲】
【請求項１】
ラドンセラミック成形体が内蔵された畳床部材と発熱部材と畳表部材とを順に積層し、この積層体が畳縁で縫いつけられたラドン温熱健康畳であって、
前記畳床部材は、硬質発泡板に穿孔された孔に該硬質発泡板と略同一厚さの前記ラドンセラミック成形体が内蔵され、畳設置面となる下面にクッション材が貼付けられ、
前記発熱部材はフィルム発熱層であり、
前記畳表部材は前記発熱部材側に不織布が貼付けられた天然または合成い草であることを特徴とするラドン温熱健康畳。
【請求項２】
前記ラドンセラミック成形体が天然ラジウム鉱石をリング状に焼成した成形体であることを特徴とする請求項１記載のラドン温熱健康畳。
【発明の詳細な説明】
【技術分野】
【０００１】
本発明は、ラドンセラミックリングおよび発熱部材を内蔵したラドン温熱健康畳に関する。
【背景技術】
【０００２】
日本人にとって畳は、和室の床を形成する材料として必要不可欠のものである。一般に使用されている畳は、畳床と、この畳床を覆う畳表とから構成されている。畳表は、い草を麻糸等で縫製して形成され、また畳床は藁を糸で刺し固め形成されてきた。近年においては、畳表の素材であるい草や畳床の素材である藁の入手が困難になっていることから、畳表として合成樹脂や、畳床として合成樹脂発泡シートを使用するものが多くなってきている。畳の上では、正座する他に状況に応じて自由にあぐらをかいたり、身体を横たえたり、足を投げ出して座ったりすることができ、その空間にいる人はそれなりにリラックス効果を得ることができる。しかし、その効果は限定的であり、最近の長寿命、高齢化に伴う健康増進の要求に対して必ずしも十分に応えられるものとはいえない。
【０００３】
近年、空気をマイナスイオン化することにより、人体に対して新陳代謝の促進、血行促進、疲労回復、食欲増進、安眠、鎮痛などの種々の健康増進効果が得られることが注目されている。例えば、マイナスイオンを発生させる壁材を使用した部屋にいると、新陳代謝の促進、血行促進、疲労回復などの効果によりリラックスできるということが知られている（特許文献１参照）。
また、希土類元素を含む鉱石の粉末をトルマリン粉末と共に畳床や畳表に含有させることにより、マイナスイオンの発生を促進する試みも知られている（特許文献２参照）。
【０００４】
しかしながら、特許文献１では元来、トルマリン自体はほとんどマイナスイオンを発生しないものであるため、畳床や、畳床を被覆する畳表になどに単にトルマリン粉末を含有させただけでは、マイナスイオンによる効果は得られないものである。
また、特許文献２では希土類元素を含む鉱石を併用することにより、マイナスイオンの発生は促進されるものの、その発生が安定せず、さらに放射線を放射するマイナス面があり、必ずしも安全であるとは言い切れない。
【特許文献１】特開平１０−４６４７９号公報
【特許文献２】特開２００３−０２７７２０号公報
【発明の開示】
【発明が解決しようとする課題】
【０００５】
本発明は、このような問題に対処するためになされたものであり、温熱効果が得られると共に、常時安定的に低放射線およびマイナスイオンを発生することで、この畳を利用する人の健康を維持増進できる健康畳の提供を目的とする。
【課題を解決するための手段】
【０００６】
本発明のラドン温熱健康畳は、ラドンセラミック成形体が内蔵された畳床部材と発熱部材と畳表部材とを順に積層し、この積層体が畳縁で縫いつけられ、上記畳床部材が硬質発泡板に穿孔された孔に該硬質発泡板と略同一厚さの前記ラドンセラミック成形体を内蔵し、畳設置面となる下面にクッション材が貼付けられており、上記発熱部材がフィルム発熱層であり、上記畳表部材が発熱部材側に不織布が貼付けられた天然または合成い草であることを特徴とする。
また、畳床部材に内蔵されるラドンセラミック成形体が天然ラジウム鉱石をリング状に焼成した成形体であることを特徴とする。
【発明の効果】
【０００７】
本発明のラドン温熱健康畳は、ラドンセラミック成形体が内蔵された畳床部材と発熱部材と畳表部材とを順に積層しているので、ラドンセラミック成形体から放出される低放射線によるホルミシス効果と、発生するマイナスイオン効果とを、発熱部材により促進することができる。また、発熱部材に設けられた発熱層による遠赤外線効果とも相俟って、ラドン温熱健康畳を使用する人に対して健康増進効果と、リラックス効果とをもたらすことができる。
【発明を実施するための最良の形態】
【０００８】
畳床部材に内蔵されるラドンセラミック成形体について、低放射線およびマイナスイオンを十分に発生させることができる条件等について鋭意検討した結果、天然ラジウム鉱石を焼成したリング状の成形体は、その上部に発熱部材と畳表部材とを積層しても放射線の放射はきわめて微量であるにもかかわらず畳表面にマイナスイオンが発生し、しかも発熱部材による遠赤外線が発生することを見出した。
【０００９】
本発明のラドン温熱健康畳を図１および図２に基づいて説明する。図１は本発明のラドン温熱健康畳の一部切り欠き図である。図２は本発明のラドン温熱健康畳の構造を示す図である。図１および図２に示すようにラドン温熱健康畳１は畳床部材２と、該畳床部材２上に積層される発熱部材３と、この発熱部材３上に積層される畳表部材４とを備え、さらに畳床部材２と、発熱部材３と、畳表部材４とを重ねた積層体の外周縁が畳縁１３で縫いつけられている。畳床部材２は耐熱ボードなどの硬質発泡板６と、この硬質発泡板６に穿孔された貫通孔６ａ内に内蔵装着されたリング状のラドンセラミック成形体７（以下、ラドンセラミックリング７ともいう）と、畳床部材底面に積層されたクッションシート５が貼り付けられている。ラドンセラミック成形体７の厚さは硬質発泡板６と略同一厚さである。クッションシート５はアルミシート５ａに発泡樹脂シート５ｂを積層したものである。発熱部材３は導電性シート８と、導電性シート８に載置され、温度コントローラ９ａおよび電源（図示せず）に接続する導体層９と、導電性シート８および導体層９を被覆する保護層１０とから構成される。保護層１０は底面で畳床部材２の硬質発泡板６およびラドンセラミックリング７に接し、この底面に対向する上表面で畳表部材４の底面と接している。畳表部材４は畳表部材４の底面を構成する不織布１１と、不織布１１上に積層される畳表本体１２とから構成される。
【００１０】
本発明のラドン温熱健康畳１において、硬質発泡板６に設けられた貫通孔６ａ内に内蔵装着されたラドンセラミックリング７から低放射線およびマイナスイオンが放出されるとともに発熱層から遠赤外線が放出される。発熱層から放出された遠赤外線はラドン温熱健康畳１を構成する硬質発泡板６および発泡樹脂シート５ｂ等の断熱層によって下方への熱の放散が防止され、畳表部材４を経由して効率よくラドン温熱健康畳１の上方に遠赤外線を伝えることができる。また、発熱層によりラドンセラミックリング７が室温よりも加熱される。ラドン温熱健康畳１はラドン温熱健康畳１から放出される低放射線による低放射線ホルミシス効果と、発生するマイナスイオン効果と、遠赤外線効果とによって畳を利用する人の健康増進に作用する。
本発明のラドン温熱健康畳１は、長さ 1700 mm 、幅 700 mm 、厚さ 15 mm の大きさであっても、重量 4 Kg と薄くて軽いので、取り外し、持ち運び、取り付け等を容易に行なうことができる。
【００１１】
本発明に用いるラドンセラミックリングは、ラドンセラミックリングから放出される微量の放射線によっていわゆる「放射線ホルミシス効果」を発揮する。この放射線ホルミシス効果とは微量の放射線が病気を治したり、病気にかからない強い身体にしたり、老化を抑えて若々しい身体を保つなど身体のあらゆる活動を活性化し生体の免疫機能の向上などをもたらす効果のことをいう。
本発明に用いるラドンセラミックリングは天然ラジウム鉱石を粉砕して得られる天然ラジウム鉱石粉末を 1200℃にて 10 時間焼成した後、空気中の酸素を遮断した状態で焼成する方法で外径約 70 mm、内径約 30 mm、厚さ約 7 mm のリング形状の平板に成形したものである。畳床部材を構成する硬質発泡板貫通孔内に内蔵装着され、低放射線およびマイナスイオンを放出し、本発明のラドン温熱健康畳の上に居住する人に対し低放射線による放射線ホルミシス効果およびマイナスイオン効果を与えるものである。
本発明に用いるラドンセラミックリングは、リング成形体の外周の放射線分布およびマイナスイオンの分布が均一化でき、コンプトン散乱効果を抑制することができ、中心部の放射線量の低下を防止できる。なお、リング形状の他、円板、角板等の形状であっても使用できる。
本発明のラドン温熱健康畳には、１畳当り 4〜10 個のラドンセラミックリングを装着するが、より好ましくは 6〜8 個のラドンセラミックリングを装着する。4 個未満の装着であれば放射線ホルミシス効果が不足し、10 個をこえて装着しても効果が頭打ちになる。
【００１２】
本発明に用いる天然ラジウム鉱石はラジウムを含有する鉱物である。天然ラジウム鉱石は天然ラドン 222 を生じるオーストリア・バドガスタイン（世界屈指の湯治施設）やアメリカ・ボウルダーの天然ラジウム鉱石をはじめ台湾の北投石等があり、日本ではラドン温泉の秋田県・玉川温泉や鳥取県・三朝温泉等から産出する天然ラジウム鉱石が知られている。
ラジウムは天然に存在する固体金属で、ラドンは天然ラジウム鉱石に含まれるラジウムがアルファ崩壊して生じる放射性希ガスであり、放射性希ガスは放出する低放射線のホルミシス効果およびマイナスイオン効果により人体に対して健康増進の効能を有する。
【００１３】
本発明に使用できる硬質発泡板の素材としては、藁を糸で刺し固めて形成された天然素材を使用したものや、インシュレーションボード、合成樹脂板、発泡合成樹脂板、ゴム板、発泡ゴム板、木板などが使用でき、これらは単独で使用してもよいし、２種以上を併用することもできる。例えば、合成樹脂板の両面に発泡合成樹脂を積層したものや、ベニヤ板の両面に発泡合成樹脂板を積層したものなども使用できる。これらの素材の中で遠赤外線ヒータによる発熱を保温する性能の優れた発泡合成樹脂を用いることが好ましい。
また硬質発泡板の厚みは 7 mm〜16 mm とすることが好ましい。
【００１４】
合成樹脂としては、塩化ビニル系樹脂、ポリオレフィン系樹脂、アクリル系樹脂、ポリウレタン系樹脂、ポリエステル系樹脂、ポリアミド系樹脂、ポリスチレン系樹脂などの熱可塑性樹脂やエポキシ系樹脂、フェノール系樹脂、メラミン系樹脂、ポリウレタン系樹脂などの熱硬化性樹脂のほか、熱可塑性エラストマーが挙げられる。
これらの樹脂の中では耐熱性に優れる熱硬化性樹脂を用いることが好ましく、熱硬化性樹脂の中では発泡樹脂成形体に加工しやすいポリウレタン系樹脂を用いることが好ましい。
【００１５】
ポリウレタン系樹脂としては、ポリエステルポリオール、ポリエーテルポリオール、ポリエステル・エーテルポリオール、ポリカプロラクトンポリオール、ポリメチルバレロラクトンポリオール、ポリカーボネートポリオール等のポリマーポリオールから選ばれる１種以上のポリオールと、芳香族ポリイソシアネート、脂肪族ポリイソシアネート、脂環族ポリイソシアネート、環状基を有する脂肪族ポリイソシアネート等の有機ポリイソシアネートから選ばれる１種以上のポリイソシアネートとを反応させて得られるポリウレタン樹脂が使用できる。
【００１６】
本発明に使用できるクッションシートは発泡樹脂シートと、該シートの底面全体にアルミシートが貼り合わせられている。発泡樹脂シートは、遠赤外線ヒータによる発熱を保温する機能とともに和室床面に対し人の荷重がかかったときのクッション材としての機能も有する。また発泡樹脂シートの厚みは 2 mm〜3 mm とすることが好ましい。
発泡樹脂シートに張り合わせるアルミシートについては、和室使用時に湯茶等のこぼれに対し畳に防水性を持たせる目的で使用する。和室床面に対し畳の固定を良くし、浸水時の水溜まりを確保するために 5 mm×5 mm 程度のマス目を付けることが好ましい。またアルミシートの厚みは 2 mm〜3 mm とすることが好ましい。
【００１７】
本発明に用いる硬質発泡板は発泡剤を含有させたポリウレタン系樹脂を押出し発泡成形する方法や加熱圧縮成形する方法等通常の発泡樹脂成形法によって成形することができる。押出し発泡成形する方法についてはポリウレタン系樹脂を熱分解型発泡剤とともに押出機にて加熱溶融後、Ｔダイにより押出し発泡成形して得られるボードの両面に、ポリウレタン系樹脂シートを張り合わせてスキン層を形成し、貫通孔を設けて硬質発泡板を得ることができる。加熱圧縮成形する方法についてはポリウレタン系樹脂を熱分解型発泡剤とともに加熱して得た予備発泡粒を金型にいれ、加熱して発泡成形することにより硬質発泡板を得ることができる。これらの方法の中で量産性に優れ、強固なスキン層を形成することができる押出し発泡成形する方法を用いることが好ましい。
【００１８】
本発明に用いる畳床部材のクッションシートおよび硬質発泡板には帯電防止剤や導電性物質を含有させることができる。クッションシートおよび硬質発泡板として静電気を帯電しないように帯電防止化したものや、導電化したものを使用すると、畳が静電気を帯電しないため、低放射線とともに発生するマイナスイオンが中和されてマイナスイオンの発生量が少なくなることがない。したがって、特に静電気の発生しやすい冬場においても、安定的にマイナスイオン効果を示す畳が得られるもので好ましい。
【００１９】
帯電防止剤としては、脂肪酸のエチレンオキサイド付加物、ポリエチレングリコールなどのノニオン系帯電防止剤；第１級アミン塩、第３級アミンなどのカチオン系帯電防止剤；オレフィンの硫酸エステル塩、アルキルベンゼンスルホン酸塩などのアニオン系帯電防止剤；カルボン酸誘導体、イミダゾリン誘導体などの両性帯電防止剤等、一般的に繊維に帯電防止性を付与するのに使用されるものであれば、いずれのものでも使用できる。
【００２０】
導電性物質としては、銀、銅、ニッケル、アルミニウム、ステンレス、鉄などの金属よりなる粉末、導電性酸化チタン（酸化チタン表面をＳｎ−Ｓｂ系化合物で処理したもの）粉末、カーボンブラック粉末、金属細片または金属短繊維、有機繊維もしくは無機繊維または合成樹脂粉末もしくは無機粉末の表面を金属または金属酸化物などで被覆したものが使用できる。これらの中では取り扱いが容易で、薄膜に加工しやすいカーボンブラック粉末を用いることが好ましい。
【００２１】
クッションシートおよび硬質発泡板に用いる合成樹脂には、必要に応じてフタル酸エステル系、リン酸エステル系、エポキシ系などの可塑剤、導電性可塑剤、高級脂肪酸の金属塩、アルキル安息香酸の金属塩などの安定剤、アニオン系界面活性剤、ノニオン系界面活性剤、カチオン系界面活性剤などの界面活性剤、脂肪酸系、脂肪酸アミド系などの滑剤、脂肪族炭化水素、マイクロカプセル型発泡剤などの発泡剤、ベンゾフェノン系、ベンゾトリアゾール系などの紫外線吸収剤、ヒンダードアミン系光安定剤、フェノール系、チオプロピオン酸エステル系などの抗酸化剤、耐熱性に優れた無機質および／または有機質の充填剤、着色剤等の各種添加剤を添加することができる。
【００２２】
本発明において発熱部材は、導電性シートと、導電性シートの上に載置された導体層と、これら導電性シートおよび導体層を被覆する保護層とから構成される。導電性シートはグラファイト、カーボンブラック、カーボン繊維、メソカーボンマイクロビーズ、カーボンナノ物質等の汎用的な導電性材料をバインダ材料に分散させた発熱性組成物をシート状に成形したものである。
本発明ではバインダ材料として合成樹脂材料を選択することができる。なかでも有機エラストマーを採用することが好ましい。これは、導体層ひいては発熱部材に可撓性、耐衝撃性を与えるためである。これにより発熱部材の敷設が容易になる。かかる有機エラストマーとしてＥＰＴ（エチレンプロピレンターポリマー）、ブチルゴム等のゴム材料、ウレタン系のエラストマーの１種または２種以上の複合体を挙げることができる。
バインダ材料としてフェノール樹脂等の熱硬化性合成樹脂および熱可塑性合成樹脂等の１種または２種以上を使用することもできる。
導電性シートにはその他、安定剤、発泡剤、補強材、着色材等の他の助剤を配合できる。
【００２３】
導体層には銅、鉄、アルミ、スズ、亜鉛等導電性の金属材料を使用することができる。これらの中で柔軟性に優れ、薄いシート状に加工しやすい銅、アルミ、亜鉛等を用いることが好ましい。導体層は温度コントローラおよび電源から供給される電力により加熱され、本発明のラドン温熱健康畳を所定の温度に保つことができる。
【００２４】
保護層は導体層および導電性シートの全表面に積層される。保護層を形成する材料は絶縁性、耐熱性および耐水性を有する合成樹脂であれば特に限定されるものではなく、合成樹脂としては、塩化ビニル系樹脂、ポリオレフィン系樹脂、アクリル系樹脂、ポリウレタン系樹脂、ポリエステル系樹脂、ポリアミド系樹脂、ポリスチレン系樹脂などの熱可塑性樹脂やエポキシ系樹脂、フェノール系樹脂、メラミン系樹脂、ポリウレタン系樹脂などの熱硬化性樹脂のほか、熱可塑性エラストマーが挙げられる。
これらの樹脂の中では耐熱性に優れ、導電性シートのバインダ材料である合成樹脂材料と同一もしくは同種の材料とすることが積層するための接着性向上の見地から好ましい。保護層の厚さは、導体層および導電性シートに対して十分な絶縁性と防水性、更には機械的強度が確保されれば特に限定されるものではない。
【００２５】
本発明において保護層には硬質発泡板に用いた帯電防止剤や導電性物質を含有させることが好ましい。保護層として静電気を帯電しないように帯電防止化したものや、導電化したものを使用すると、畳が静電気を帯電しないため、低放射線とともに発生するマイナスイオンが中和されてマイナスイオンの発生量が少なくなることがない。したがって、特に静電気の発生しやすい冬場においても、安定的にマイナスイオン効果を示す畳が得られるもので好ましい。
【００２６】
本発明に用いる畳表部材は人と接する畳表と、畳表の底部全面に張り付けられる不織布とから構成される。本発明に用いる畳表としては、一般に畳表として使用されているものであれば、いずれの畳表でも使用できる。例えば、い草を糸で織成したもの、合成樹脂製の細長い柱状物や中空柱状物を糸で織成したものなどが使用できる。合成樹脂製の細長い柱状物や中空柱状物の断面形状は、多角形、円形、楕円形、星形など任意の形状とすることができる。
【００２７】
縫製に使用する糸は、麻糸、綿糸、絹糸など天然素材からなる糸、スフ糸など半合成繊維からなる糸、レーヨン糸、ナイロン糸、スフ糸など合成繊維からなる糸のいずれも使用することができる。またこれらの混紡繊維からなる糸も使用することができる。
【００２８】
本発明に用いる不織布としては、一般に不織布として用いられているものであれば使用することができる。不織布を構成する繊維としては、綿、ウールなどの天然繊維、スフ、レーヨンなど半合成繊維、ポリエステル繊維、ポリアミド繊維、アクリル繊維、ポリプロピレン繊維、ポリウレタン繊維などの合成繊維が使用できる。これらの中で耐熱性に優れ、コスト面でも有利な、ポリエステル繊維、ポリアミド繊維等を用いることが好ましい。不織布は畳表の底部全面にわたって張り付けられ畳表に加わる人体からの荷重を和らげるクッションとしても機能する。不織布の厚みは約 2 mm であることが好ましい。
【００２９】
上記の畳表部材を構成する畳表や不織布を帯電防止化するためには、原料であるい草、合成樹脂柱状体または合成樹脂中空柱状体、合成繊維に帯電防止剤および／または導電性物質を配合させたり、これらの少なくとも１種を、帯電防止剤および／または導電性物質を含有する素材で構成するか、できた畳表や不織布に帯電防止剤を含浸させたり、塗布したりすればよい。帯電防止剤や導電性物質としては、合成樹脂を帯電防止化あるいは導電化するのに使用するものと同様のものが使用できる。
【実施例】
【００３０】
実施例１
南米チリ産出の天然ラジウム鉱石を含む放射性鉱物を粉砕して得られた 500 メッシュ通過分の粒子径の天然ラジウム鉱石粉末を 1200℃にて 10 時間焼成した後、空気中の酸素を遮断した方法で外径 70 mm、内径 30 mm、厚さ 7 mm のリング形状の平板に成形して、ラドンセラミックリングを得た。
厚さ 7 mm の発泡ポリウレタン製硬質発泡板（積水化学工業社製セットロンＴ）と、厚さ 2 mm のアルミシートを貼り付けたポリウレタン製クッションシートとを備える畳床部材に、硬質発泡板に設けられた 6 個の貫通孔内にラドンセラミックリングを装着し、発熱部材（シンコール社製１００Ｖタイプ（幅600 mm ））を硬質発泡板上に貼り合わせ、ポリエステル繊維からなる厚さ 3 mm の不織布を発熱部材上に貼り合わせ、ポリプロピレンシート製畳表を貼り合わせ、さらに、畳表の外周縁に畳縁を配置し、芯紙を介在させ、畳表部材、発熱部材、畳床部材と共に縫着してラドン温熱健康畳を得た。得られたラドン温熱健康畳について下記放射線放出量およびマイナスイオン発生数を測定した。結果を表１に示す。
【００３１】
放射線確認試験
得られたラドン温熱健康畳について、測定室（温度 25℃、湿度 75 RH％、無風状態、測定器以外の電気製品の電源を切った状態）でＡＲＳ社製カルテックスＩＩを使用して放出される放射線量を測定した。
【００３２】
マイナスイオン確認試験
得られた畳試料について、測定室（温度 25℃、湿度 75 RH％、無風状態、測定器以外の電気製品の電源を切った状態）で日光テクニカ社製の測定器ＥＢ−１５を使用して 120 秒間のマイナスイオン発生数を測定した。
【００３３】
【表１】
2007107317.tif 000003
【産業上の利用可能性】
【００３４】
本発明のラドン温熱健康畳は、この畳を使用する人に対して健康増進効果と、リラックス効果とをもたらすことができる。そのため本発明のラドン温熱健康畳は一般住宅、各種集会所および高齢者用各種養護施設の和室用畳に好適に利用できる。
【図面の簡単な説明】
【００３５】
【図１】本発明のラドン温熱健康畳の一部切り欠き図である。
【図２】本発明のラドン温熱健康畳の構造を示す図である。
【符号の説明】
【００３６】
１    ラドン温熱健康畳
２    畳床部材
３    発熱部材
４    畳表部材
５    クッションシート
５ａ  アルミシート
５ｂ  発泡樹脂シート
６    硬質発泡板
６ａ  貫通孔
７    セラミックリング
８    導電性シート
９    導体層
９ａ  温度コントローラ
１０    保護層
１１    不織布
１２    畳表
１３    畳縁
【図１】
2007107317.tif 000004
【図２】
2007107317.tif 000005